【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
構造化言語で記述された印刷データをホストより受信する受信手段と、
前記受信手段で受信した前記印刷データを解析する解析手段と、
前記解析手段による解析に基づいて、前記印刷データにおける印刷不可能な部分データの有無を判別する判別手段と、
前記解析手段により解析された印刷データに基づいて印刷を行う印刷手段と、
前記判別手段による判別結果と前記印刷データに対して設定された印刷設定情報とに基づいて前記印刷手段による印刷を制御する制御手段と、
を有することを特徴とする印刷装置。
【請求項２】
前記制御手段は、前記判別手段による判別結果と前記印刷設定情報とに応じて、前記印刷手段により印刷を行うか否かを制御することを特徴とする請求項１に記載の印刷装置。
【請求項３】
構造化言語で記述された印刷データをホストより受信する受信手段と、
前記受信手段で受信した前記印刷データを解析する解析手段と、
前記解析手段による解析に基づいて、前記印刷データにおける印刷不可能部分の数を判別する判別手段と、
前記解析手段により解析された印刷データに基づいて印刷を行う印刷手段と、
前記判別手段により判別された前記印刷データにおける印刷不可能部分の数に基づき前記印刷手段による印刷を実行するか否かをユーザに確認する確認手段と、
を有することを特徴とする印刷装置。
【請求項４】
前記判別結果は、前記判別手段により判別された前記印刷データにおける印刷不可能な部分データの数を含むことを特徴とする請求項１に記載の印刷装置。
【請求項５】
前記判別結果は、前記判別手段により判別された前記印刷データにおける印刷不可能な部分データの割合を含むことを特徴とする請求項１に記載の印刷装置。
【請求項６】
構造化言語で記述された印刷データをホストより受信する受信工程と、
前記受信工程で受信した前記印刷データを解析する解析工程と、
前記解析工程での解析に基づいて、前記印刷データにおける印刷不可能な部分データの有無を判別する判別工程と、
前記解析工程で解析された印刷データに基づいて印刷を行う印刷工程と、
前記判別工程での判別結果及び前記印刷データに対して設定された印刷設定情報とを基に、印刷を制御する制御工程と、
を有することを特徴とする印刷制御方法。
【請求項７】
前記制御工程は、前記判別工程による判別結果と前記印刷設定情報とに応じて、前記印刷工程により印刷を行うか否かを制御することを特徴とする請求項６に記載の印刷制御方法。
【請求項８】
構造化言語で記述された印刷データをホストより受信する受信工程と、
前記受信工程で受信した前記印刷データを解析する解析工程と、
前記解析工程による解析に基づいて、前記印刷データにおける印刷不可能部分の数を判別する判別工程と、
前記解析工程で解析された印刷データに基づいて印刷を行う印刷工程と、
前記判別工程で判別された前記印刷データにおける印刷不可能部分の数に基づき前記印刷工程による印刷を実行するか否かをユーザに確認する確認工程と、
を有することを特徴とする印刷制御方法。
【請求項９】
前記判別結果は、前記判別工程で判別された前記印刷データにおける印刷不可能な部分データの数を含むことを特徴とする請求項６に記載の印刷制御方法。
【請求項１０】
前記判別結果は、前記判別工程で判別された前記印刷データにおける印刷不可能な部分データの割合を含むことを特徴とする請求項６に記載の印刷制御方法。
【請求項１１】
ホストから構造化言語で記述された印刷データを印刷装置に送信して印刷させる印刷システムであって、
前記印刷装置は、
前記印刷データを解析する解析手段と、
前記解析手段による解析に基づいて、前記印刷データにおける印刷不可能な部分データの有無を判別する判別手段と、
前記解析手段により解析された印刷データに基づいて印刷を行う印刷手段と、
前記判別手段による判別結果と前記印刷データに対して設定された印刷設定情報とに基づいて前記印刷手段による印刷を制御する制御手段と、
前記制御手段における制御に応じて、前記ホストに応答情報を送信する送信手段とを有し、
前記ホストは、
前記送信手段により送信された前記応答情報に応じた情報を表示する表示手段と、
前記表示手段に表示された情報に応答して入力される指示情報に応じて、前記印刷装置における印刷を制御するための情報を前記印刷装置に送信して印刷を制御する印刷制御手段とを有することを特徴とする印刷システム。
【請求項１２】
前記応答情報は、前記印刷データにおける前記印刷不可能な部分データを特定する情報を含み、
前記表示手段は、前記印刷不可能な部分データを明示して表示することを特徴とする請求項１１に記載の印刷システム。
【請求項１３】
前記ホストは、更に
前記表示手段に表示された情報に応答して入力される指示情報に応じて、前記印刷装置における印刷設定情報を変更する手段を有することを特徴とする請求項１１或は１２に記載の印刷システム。
【手続補正２】
【補正対象書類名】明細書
【補正対象項目名】００１５
【補正方法】変更
【補正の内容】
【００１５】
上記目的を達成するために本発明の一態様に係る印刷装置は以下のような構成を備える。即ち、
構造化言語で記述された印刷データをホストより受信する受信手段と、
前記受信手段で受信した前記印刷データを解析する解析手段と、
前記解析手段による解析に基づいて、前記印刷データにおける印刷不可能な部分データの有無を判別する判別手段と、
前記解析手段により解析された印刷データに基づいて印刷を行う印刷手段と、
前記判別手段による判別結果と前記印刷データに対して設定された印刷設定情報とに基づいて前記印刷手段による印刷を制御する制御手段と、を有することを特徴とする。
【手続補正３】
【補正対象書類名】明細書
【補正対象項目名】００１６
【補正方法】変更
【補正の内容】
【００１６】
上記目的を達成するために本発明の一態様に係る印刷制御方法は以下のような工程を備える。即ち、
構造化言語で記述された印刷データをホストより受信する受信工程と、
前記受信工程で受信した前記印刷データを解析する解析工程と、
前記解析工程での解析に基づいて、前記印刷データにおける印刷不可能な部分データの有無を判別する判別工程と、
前記解析工程で解析された印刷データに基づいて印刷を行う印刷工程と、
前記判別工程での判別結果及び前記印刷データに対して設定された印刷設定情報とを基に、印刷を制御する制御工程と、を有することを特徴とする。
【手続補正４】
【補正対象書類名】明細書
【補正対象項目名】００１７
【補正方法】変更
【補正の内容】
【００１７】
上記目的を達成するために本発明の一態様に係る印刷システムは以下のような構成を備える。即ち、
ホストから構造化言語で記述された印刷データを印刷装置に送信して印刷させる印刷システムであって、
前記印刷装置は、
前記印刷データを解析する解析手段と、
前記解析手段による解析に基づいて、前記印刷データにおける印刷不可能な部分データの有無を判別する判別手段と、
前記解析手段により解析された印刷データに基づいて印刷を行う印刷手段と、
前記判別手段による判別結果と前記印刷データに対して設定された印刷設定情報とに基づいて前記印刷手段による印刷を制御する制御手段と、
前記制御手段における制御に応じて、前記ホストに応答情報を送信する送信手段とを有し、
前記ホストは、
前記送信手段により送信された前記応答情報に応じた情報を表示する表示手段と、
前記表示手段に表示された情報に応答して入力される指示情報に応じて、前記印刷装置における印刷を制御するための情報を前記印刷装置に送信して印刷を制御する印刷制御手段とを有することを特徴とする。